(57)【要約】【課題】発熱体を内蔵したヒータパネルの複数のものを、それぞれのヒータパネルの内部に配線ケーブルを通過させて接続し、下地床上に配列して構成される床暖房パネル接続構造において、パネル周囲の枠体に加熱ムラが生じないようにした床暖房パネル接続構造を提供する。【解決手段】複数のヒータパネル２は、隣接されるもの同士が、対向する側部を跨ぐようにして、その上方から固定板５を押し当てて固定板５を固着具６で下地床４に固定しており、固定板５を伝熱性の良好な素材で構成している。【選択図】図１
2010007917.tif 000002
【特許請求の範囲】
【請求項１】
発熱体を内蔵したヒータパネルの複数のものを、それぞれのヒータパネルの内部に配線ケーブルを通過させて接続し、下地床上に配列して構成される床暖房パネル接続構造であって、
上記複数のヒータパネルは、隣接されるもの同士が、対向する側部を跨ぐようにして、その上方から固定板を押し当てて該固定板を固着具で下地床に固定しており、上記固定板を伝熱性の良好な素材で構成していることを特徴とする床暖房パネル接続構造。
【請求項２】
請求項１において、
上記固定板は下方向に延びるスペーサ片を形成しており、
それらのスペーサ片を、上記複数のヒータパネルの隣接されるもの同士に形成される隙間に挿着する構造にしている床暖房パネル接続構造。
【請求項３】
請求項１または２のいずれか１項において、
上記複数のヒータパネルの側端には、上記固定板を、ヒータパネルの上方に突出させない状態に載置するための凹段部を設けていることを特徴とする床暖房パネル接続構造。
【発明の詳細な説明】
【技術分野】
【０００１】
本発明は、例えば建築物の下地床に配置される床暖房パネルの接続構造の改良に関する。
【背景技術】
【０００２】
一般に、建築物の下地床に配置される床暖房パネルの接続構造は、発熱体を内蔵する複数のパネル体を建築物の下地床に配置するとともに、パネル体の発熱体の配線部同士を相互に連通させて相互に渡る電気配線を可能としている。
【０００３】
このような、床暖房パネルの接続構造として、例えば、特許文献１には、加熱用長尺体に接合されるパネル形成体均熱体がパネル形成体に止着され、このパネル形成体が幅方向に並列されるように構成された床暖房パネルが提案されている。この特許文献１に開示された床暖房パネルにおいては、補強材として小根太を下地床に施工し、この複数の小根太の幅方向に床暖房パネルが並列されるように構成されている。
【０００４】
一方、小根太を下地床に施工せずに、複数のパネル体を建築物の下地床に直接載置する場合は、従来、図７に示すように、パネル体の周辺に固着具を打ち込んで下地床に固定するのが一般的であった。図７は、従来の床暖房パネル接続構造９１の構成を示す平面図である。図７に示す床暖房パネル接続構造９１では、複数のヒータパネル９２を下地床９４上に配列するとともに、ヒータパネル９２の内部に配線ケーブル９３を通過させて接続している。
【０００５】
ここで、それぞれのヒータパネル９２は、発熱体９２ａ、枠部材９２ｂ、表面材９２ｄ、カバー部材９２ｅ、を備えており、ヒータパネル９２は、ねじ、釘などの固着具９６で下地床９４に固定される。この後、カバー部材９２ｅを外し、それぞれのヒータパネル９２の内部に配線ケーブル９３を通過させるとともに、発熱体９２ａのコネクタ部９２ｇに配線ケーブル９３を接続する。
【特許文献１】特開２００７−４０５４５号公報
【発明の開示】
【発明が解決しようとする課題】
【０００６】
しかしながら、上述の図７に示すような床暖房パネル接続構造９１の固定方法では、ヒータパネル９２の周囲の枠部材９２ｂには発熱体９２ａがなく、隣合わせに設置するとこの枠部材９２ｂの温まらない部分が発生して、加熱ムラが生じるという問題があった。
【０００７】
本発明は上記事情に鑑みてなされたものであり、ヒータパネル周囲の枠部材においても、加熱ムラが生じないようにした床暖房パネル接続構造を提供することを目的としている。
【課題を解決するための手段】
【０００８】
上記目的を解決するために、請求項１に記載の床暖房パネル接続構造は発熱体を内蔵したヒータパネルの複数のものを、それぞれのヒータパネルの内部に配線ケーブルを通過させて接続し、下地床上に配列して構成される床暖房パネル接続構造であって、上記複数のヒータパネルは、隣接されるもの同士が、対向する側部を跨ぐようにして、その上方から固定板を押し当てて該固定板を固着具で下地床に固定しており、上記固定板を伝熱性の良好な素材で構成していることを特徴とする。
【０００９】
また、請求項２に記載の床暖房パネル接続構造においては、上記固定板は下方向に延びるスペーサ片を形成しており、それらのスペーサ片を、上記複数のヒータパネルの隣接されるもの同士に形成される隙間に挿着する構造にしている。
【００１０】
また、請求項３に記載の床暖房パネル接続構造においては、上記複数のヒータパネルの側端には、上記固定板を、ヒータパネルの上方に突出させない状態に載置するための凹段部を設けている。
【発明の効果】
【００１１】
請求項1に記載の床暖房パネル接続構造によれば、複数のヒータパネルは、隣接されるもの同士が、対向する側部を跨ぐようにして、その上方から固定板を押し当てて該固定板を固着具で下地床に固定しており、固定板を伝熱性の良好な素材で構成しているので、固定板の均熱効果により、昇温部と非昇温部との温度差が軽減される。
【００１２】
請求項２に記載の床暖房パネル接続構造によれば、固定板は下方向に延びるスペーサ片を形成しており、それらのスペーサ片を、複数のヒータパネルの隣接されるもの同士に形成される隙間に挿着する構造にしているので、各パネル体の位置決めを安定したものにすることができる。
【００１３】
請求項３に記載の床暖房パネル接続構造によれば、複数のヒータパネルの側端には、固定板を、ヒータパネルの上方に突出させない状態に載置するための凹段部を設けているので、ヒータパネルの上面と固定板の上面とを平らにすることができる。そのため、ヒータパネルと固定板の上に床材を安定して設置することができる。
【発明を実施するための最良の形態】
【００１４】
以下、添付図面を参照しながら本発明の好ましい実施の一形態について説明する。図１は、本実施形態の床暖房パネル接続構造の構成を示す分解斜視図であり、図２は、固定板５の構成を示す斜視図である。また、図３は、本実施形態の床暖房パネル接続構造の構成を示す平面図であり、図４は、図３の断面図である。
【００１５】
図１〜図４に示すように、床暖房パネル接続構造１は、複数のヒータパネル２を下地床４上に配列するとともに、それぞれのヒータパネル２の内部に配線ケーブル３を通過させて電気配線を接続している。
【００１６】
それぞれのヒータパネル２は、発熱体２ａ、枠部材２ｂ、基材２ｃ、表面材２ｄ、カバー部材２ｅ、裏面材２ｆを備えている。
【００１７】
発熱体２ａは、熱を発生させる部分であり、本実施形態では、面状ヒータで構成されている。この発熱体２ａには、配線ケーブル３を接続するためのコネクタ部２ｇが設けられている。
【００１８】
枠部材２ｂは、合板など木質系材料で構成される。
【００１９】
基材２ｃは、下方への伝熱を遮断するために発熱体２ａの裏面に設けられるものであり、本実施形態では、断熱性能を有する材料として、ロックウールを含む材料で構成されている。
【００２０】
表面材２ｄは、ヒータパネル２の上面の仕上げのための部材であり、合板など木質系材料で構成されている。そして、このヒータパネル２の表面材２ｄの側端には、特に後述する固定板５を、ヒータパネル２の上方に突出させない状態に載置するための凹段部２ｈが設けられている。
【００２１】
この凹段部２ｈにおいて、図４に示す幅寸法ａとｂとの比率は、製作上の強度等を考慮して、一例としてａ：ｂ＝１：０．５〜１：３となっている。また、段差高さ寸法ｃは、１ｍｍ〜３ｍｍであることが好ましいが、これには限定されない。また、凹段部２ｈ以外の表面材２ｄの残し厚みｄは、１ｍｍ以上の厚みを確保するように構成されている。
【００２２】
カバー部材２ｅは、表面材２ｄの切り欠き部２ｉに脱着可能に嵌め合わせてコネクタ部２ｇを覆うためのものである。
【００２３】
裏面材２ｆは、ヒータパネル２の裏面を覆って裏面の外観を良好にするためのものであり、紙、木材、アルミシート等で構成されている。
【００２４】
そして、それぞれのヒータパネル２は、図示のように、裏面材２ｆが貼着された枠部材２ｂに、基材２ｃと、発熱体２ａとが、組み込まれた後、表面材２ｄが、貼着され、カバー部材２ｅが脱着可能に嵌めあわされて一体に形成される。
【００２５】
ここで、複数のヒータパネル２においては、ヒータパネル２を下地床４に止めるために、隣接されるもの同士の対向する側部を跨ぐようにして、その上方から丁字形状の固定板５が押し当てられるように構成されている。この固定板５は下方向に延びるスペーサ片５ａを形成しており、このスペーサ片５ａが複数のヒータパネル２の隣接されるもの同士の間に形成される隙間に挿着される。また、ねじ、釘などの固着具６をで下地床４に打ち込んで固定板５が固定される。そのため、固定板５には、ねじ、釘などの固着具６の固定用下穴５ｂが設けられている。
【００２６】
また、この固定板５は、固定板５の均熱効果により昇温部と非昇温部との温度差を軽減するために、アルミ、鋼材など伝熱性を有する金属板材など、伝熱性の良好な素材で構成されている。
【００２７】
次に図１を参照して、本発明の実施の形態に係る床暖房パネル接続構造１の施工法と作用とについて説明する。
【００２８】
図１を参照して、本発明の実施の形態に係る床暖房パネル接続構造１においては、まず、発熱体２ａを内蔵したヒータパネル２の複数のものを、下地床４上に配列する。
【００２９】
次に、その上方から隣接されるもの同士の対向する側部を跨ぐようにして、固定板５を押し当てる。この時、スペーサ片５ａを、複数のヒータパネル２の隣接されるもの同士に形成される隙間に挿着するようにして固定板５を凹段部２ｈに載置する。
【００３０】
そして、固定用下穴５ｂにねじ、釘などの固着具６を挿入して、ヒータパネル２を固定板５とともに下地床４に固定する。
【００３１】
このようにして、他のヒータパネル２も同様にして連続して敷設していく。
【００３２】
この後、表面材２ｄからカバー部材２ｅを外し、それぞれのヒータパネル２の内部に配線ケーブル３を通過させるとともに、発熱体２ａのコネクタ部２ｇに配線ケーブル３を接続した後、再びカバー部材２ｅを表面材２ｄに嵌め合わせる。
【００３３】
以上説明したように、本発明の実施の形態に係る床暖房パネル接続構造１によれば、複数のヒータパネル２は、隣接されるもの同士が、対向する側部を跨ぐようにして、その上方から固定板５を押し当てて該固定板５を固着具６で下地床４に固定しており、固定板５を伝熱性の良好な素材で構成しているので、固定板５の均熱効果により、昇温部と非昇温部との温度差が軽減される。
【００３４】
また、固定板５は下方向に延びるスペーサ片５ａを形成しており、それらのスペーサ片５ａを、上記複数のヒータパネル２の隣接されるもの同士に形成される隙間に挿着する構造にしているので、各パネル体の位置決めを安定したものにすることができる。
【００３５】
さらに、複数のヒータパネル２の側端には、ヒータパネル２の上方に固定板５を突出させない状態に載置するための凹段部２ｈを設けているので、ヒータパネル２の上面と固定板５の上面とを平らにすることができる。そのため、ヒータパネル２と固定板５の上に床材を安定して設置することができる。
【００３６】
次に図５と図６とを参照して、本発明の実施の形態に係る床暖房パネル接続構造１の変形例について説明する。なお以下の説明では、床暖房パネル接続構造１と同様の部材には同一の符号を付し、重複する説明を省略するものとする。
【００３７】
図５は、変形例に係る床暖房パネル接続構造に用いられる固定板２５の構成を示す斜視図であり、図６は、変形例に係る床暖房パネル接続構造の構成を示す斜視図である。
【００３８】
図５と図６とに示すように、変形例に係る床暖房パネル接続構造２１においては、複数のヒータパネル２の隣接されるもの同士の対向する側部を跨ぐようにして、その上方から固定板２５を押し当てて固着具６を下地床４に打ち込んで固定する点や、固定板２５が伝熱性の良好な素材で構成している点は同様である。
【００３９】
また、複数のヒータパネル２の側端には、固定板２５を、ヒータパネル２の上方に突出させない状態に載置するための凹段部２ｈを設けている点も同様である。
【００４０】
しかし、この変形例に係る固定板２５は、複数のヒータパネル２の隣接されるもの同士に形成される隙間に挿着される下方向に延びるスペーサ片５ａを省略している。このように、固定板をより簡単な構造とすることが可能である。
【００４１】
この変形例によっても、固定板２５の均熱効果により、昇温部と非昇温部との温度差が軽減される効果は同様に期待できる。
【００４２】
上述した実施の形態は本発明の好ましい具体例を例示したものに過ぎず、本発明は上述した実施の形態に限定されない。
【００４３】
例えば、発熱体２ａは、熱を発生させる部分であれば、面状ヒータである必要はない。コード状ヒータ、温水パイプ等などが採用可能である。
【００４４】
また、基材２ｃは、下方への伝熱を遮断するために発熱体２ａの裏面に設けられるものであれば、ロックウール以外にも断熱性能を有する材料として、発泡ウレタン、発泡ポリスチレン、発泡ポリエチレン、グラスウール、真空断熱材などを含む材料が採用可能である。
【００４５】
また、枠部材２ｂ、表面材２ｄ、カバー部材２ｅも合板など木質系材料に限定されず、種々の設計変更が可能である。
【００４６】
さらに、裏面材２ｆも紙に限定されない。ヒータパネル２の裏面を覆って裏面の外観を良好にするためのものであれば、木材、アルミシート等が採用可能である。
【００４７】
また、固定板５、２５もアルミ材に限定されない。固定板５、２５の均熱効果により昇温部と非昇温部との温度差を軽減する伝熱性の良好な素材であれば、鋼材などの金属板材も採用可能である。
【００４８】
その他、本発明の特許請求の範囲内で種々の設計変更が可能であることはいうまでもない。
【図面の簡単な説明】
【００４９】
【図１】床暖房パネル接続構造の構成を示す分解斜視図である。
【図２】固定板の構成を示す斜視図である。
【図３】床暖房パネル接続構造の構成を示す平面図である。
【図４】図３の断面図である。
【図５】床暖房パネル接続構造の変形例に用いられる固定板の構成を示す斜視図である。
【図６】床暖房パネル接続構造の変形例に用いられる固定板の構成を示す断面図である。
【図７】従来の床暖房パネル接続構造の構成を示す平面図である。
【符号の説明】
【００５０】
１    床暖房パネル接続構造
２    ヒータパネル
２ａ  発熱体
２ｈ  凹段部
３    配線ケーブル
４    下地床
５    固定板
５ａ  スペーサ片
６    固着具
【図１】
2010007917.tif 000003
【図２】
2010007917.tif 000004
【図３】
2010007917.tif 000005
【図４】
2010007917.tif 000006
【図５】
2010007917.tif 000007
【図６】
2010007917.tif 000008
【図７】
2010007917.tif 000009